(57)【要約】【課題】長時間の殺菌効果があるコンドームを提供する。【解決手段】このコンドーム１は、ナノ液化チタン、ナノ酸化亜鉛及びナノキチン質を重合体素材に混ぜ入れてなる液体ラテックスにより薄膜構造に成形され、男性の生殖器に被せて使用される套体１と、套体１の表面に塗布され、抗菌効果を有する抗菌潤滑剤５と、套体１の開口端に設置されるＯ形環６とを備えて構成される。【選択図】図１
0003147295.tif 000002
【実用新案登録請求の範囲】
【請求項１】
ナノ液化チタン（２）、ナノ酸化亜鉛（３）及びナノキチン質（４）を重合体素材（１１）に混ぜ入れてなる液体ラテックス（１２）により薄膜構造に成形され、男性の生殖器に被せて使用される套体（１）と、
前記套体（１）の表面に塗布され、抗菌効果を有する抗菌潤滑剤（５）と、
前記套体（１）の開口端に設置されるＯ形環（６）と、
を備えたことを特徴する長時間の殺菌効果を有するコンドーム。
【請求項２】
ナノ液化チタン（２）は波長６〜１２μｍの遠赤外線を放射することを特徴とする請求項１に記載の長時間の殺菌効果を有するコンドーム。
【請求項３】
抗菌潤滑液（５）はナノ酸化亜鉛（３）とナノキチン質（４）とを混合してなることを特徴とする請求項１に記載の長時間の殺菌効果を有するコンドーム。
【請求項４】
重合体素材（１１）は天然ゴム又は人口ゴムのいずれかが採用されることを特徴とする請求項１に記載の長時間の殺菌効果を有するコンドーム。
【考案の詳細な説明】
【技術分野】
【０００１】
本考案は長時間の殺菌効果を有するコンドームに関する。
【背景技術】
【０００２】
社会の変化、環境の変遷の影響で、例えば、エイズ、梅毒、淋菌などの性行為による病気が増加している。そのうちエイズが一番怖いことは言うまでもない。香港で、２００６年１２月１日の、ボイス．オブ．アメリカの記者の報道によれば、世界保健機関は「もしアジア国家の政府がエイズの伝播を制止することに努めないと、アジアでエイズが散布される状況は一層厳しくなるかもしれない」と警告した。今まで、アジアですでに8百万くらいの人がエイズに感染したが、今後感染する人数は上昇する。また、世界保健機関は「安全な措置を取らない不安全な性行為のせいで、エイズがアジアに散布されることが一層厳しくなる」と警告した。中国政府によると、今年１月から１０月までの間にエイズに感染した人数は、去年に比べて、３０％上昇した。専門家は「この傾向は、アジアの民衆のエイズに対する認識程度が低いことを反映したものである。一部の原因は性行為が禁忌の話題として認識され、また、政府のエイズの危機に対する処置、対応が遅すぎた」と言う。
【０００３】
このような背景から、「全世界でエイズ、結核とマラリアに対抗する財団法人」で殺菌剤の研究が開始された。この殺菌剤はＨＩＶを膣や肛門に入るまでに消滅させたり阻止したりすることができるゼリー状の薬剤である。研究員はこの初の試験が成功した殺菌軟膏を最も早い時期で２００９年に発売することを確信している。このような現状から、多くの人に性感染症の予防の重要性がますます重視されることになる。
【０００４】  ところで、上記の殺菌剤は未だ見ることがなく、効果も不明である。そこで、そのような殺菌剤が提供されるまでの最も有効的な予防措置は、まだ従来のコンドームの利用である。性感染症の伝染を防止する効果をよくするためには、性行為の過程でコンドームを使うべきである。ある業者は性感染症の感染を防止する効果をさらによくするために、コンドームの改良を行った。これはコンドームと殺菌剤を結合したもので、この種の技術が特許文献１に開示されている。この文献１はナノ衛生（公序良俗違反につき、不掲載）コンドームの製作の方法に関するもので、ナノメートルの物理理論によって、ナノコンポジットを摩擦すると、表面に遊離基ができ、外物を吸引し、細菌などを分解する能力を有する。このような粒径１０００ｎｍ以下の適量の炭素、金属、金属の酸化物、鉱物などのナノ微粒子とゴム材料とを混ぜ、ゴムの加工成型法により、ナノ衛生（公序良俗違反ひつき、不掲載）コンドームを製作する。このコンドームの特徴は、男女がセックスするときの摩擦作用により、コンドームの表面にフリーラジカルができることにより、膣の壁を吸い、膣に収縮作用をさせる。このようにすることでセックスするときの（公序良俗違反につき、不掲載）が増える他に、同時に表面のフリーラジカルが膣の細菌、ウイルス、黴菌などを分解するので、殺菌や消毒の効果がある。【０００５】
【特許文献１】台湾特許特開第２００６３００７８号「ナノ衛生（公序良俗違反につき、不掲載）コンドーム」
【考案の開示】
【考案が解決しようとする課題】
【０００６】
しかしながら、上記従来のコンドームでは、次のような問題がある。
（１）フリーラジカル（free radicals）は活発、不安定、短い生命周期の化合物で、ウイルスの活動を抑制するのみで、光源がない環境では、殺菌効果が２４時間に達することができない。したがって、どのようにして殺菌効果の不安定さ、作用時間が長くないことを解決するかが本考案の一つ目の目的である。
（２）機能性にもまして、殺菌効果は単一であり、全面的な保護効果がない。摩擦作用が必要で、摩擦作用があると、殺菌効果がある。受動的すぎるなら、殺菌の範囲と効果は極めて大きい影響を受ける。したがって、どのようにして殺菌の範囲と効果を向上させるかが本考案の二つ目の目的である。
【課題を解決するための手段】
【０００７】
上記目的を達成するために、本考案の長時間の殺菌効果を有するコンドームは次のような構成を備えることを特徴とする。
［１］ナノ液化チタン（２）、ナノ酸化亜鉛（３）とナノキチン質（４）を重合体素材（１１）に混ぜ入れることにより、液体のラテックス（１２）を構成されていてから、成形の製作した套体（１）が薄膜結構であり、男性の生殖器を被せることを目的として使い、套体（１）の表に抗菌効果がある抗菌潤滑剤（５）を塗布し、套体（１）の開口端にＯ形環（６）を設置する。
［２］上記のナノ液化チタン（２）は波長６〜１２μｍの遠赤外線を放射できる。
［３］上記の抗菌潤滑液（５）はナノ酸化亜鉛（３）がナノキチン質（４）と混合して製作する。
［４］上記の重合体素材（１１）は以下の一つ、天然ゴム、人口ゴムである。
【考案の効果】
【０００８】
本考案のコンドームは、上記の各構成により、次のような作用効果を有する。
［１］本考案の中で一番重要のは、遠赤外線を放射できるナノ液化チタン（２）を套体（１）の中に混ぜいれ、このようにして、最大、最高の作用範囲の以外で、実際の作用の効果を向上でき、使用者の免疫力を上昇し、主動的に使用者の病気を感染率を低下する。従来と特許文献１のコンドームと比べると、一層効用を進歩する。
［２］一方、本考案は抗菌、殺菌効果があるナノ酸化亜鉛（３）とナノキチン質（４）を套体（１）に入れ、上記のナノ液化チタン（２）をあるできの効用を発揮するとき、コンドームのもう一つの機能、病気を予防する効果が受動から主動になり、男女双方に利益になる、男性に利益になるだけではなく、コンドームの付加価値が増え、コンドームの作用効果をしっかり向上する。
［３］コンドームの中で上記の三つを入れ、主動的に抗菌、殺菌の効果を達成することにおいては、套体1の表面に抗菌、殺菌効果がある抗菌潤滑液5を塗布し、コンドームの保護の効果を一層向上し、女性を有効的に保護し、コンドームの抗菌効果を結合し、二重の抗菌効果を確実に達成し、性感染症の感染率を最低にならせる。
［４］本考案の作用の範囲は内、外の抗菌効果の配合により、最大になり、全体の殺菌効果が明らかに上昇し、受動から主動になり、エネルギーが多く必要がないが、長時間の２４時間で作用し、従来と特許文献１のコンドームが達成できなく、使用者に危害になる細菌を消滅し、双方の安全性を増加する。
【考案を実施するための最良の形態】
【０００９】
次に、本考案を実施するための最良の形態について図を用いて説明する。図１は本考案品のコンドームの構成を示す斜視図である。図２はこのコンドームの構成を示す側面断面図、図３は図２中の要部を示す断面図である。図４はこのコンドームの製造方法を示す流れ図である。
【００１０】
図１、図２及び図３に示すように、このコンドーム１は、ナノ液化チタン２、ナノ酸化亜鉛３及びナノキチン質４を重合体素材１１に混ぜ入れてなる液体ラテックス１２により薄膜構造に成形され、男性の生殖器に被せて使用される套体１と、套体１の表面に塗布され、抗菌効果を有する抗菌潤滑剤５と、套体１の開口端に設置されるＯ形環６とを備えて構成される。
【００１１】
この構成の中で、一番重要なのは、套体１に遠赤外線を放射できるナノ液化チタン２を入れることにある。チタンは化学の元素、化学符号が〔Ｔi〕、原子番号〔２２〕であり、重量が軽く、強度が高く、金属の光沢があり、また、腐蝕に抵抗する能力があり、銀白色の過渡金属であることが特徴である。チタンはまた、耐熱性、耐寒性、抗超酸性、抗超塩基性、高い強さ、低い密度、安定な科学性質を有する。ナノ液化チタン２のイオンは塩基であり、ナノ液化チタン２はその影響を受け、血液の弱塩基性を保ち、血液の濃度を調整し、血液の巡る速度を増し、細胞を強化する機能があり、酸素と活性成分の吸収を増加し、二酸化炭素と廃物の排除を強め、代謝を促進する。このナノ液化チタン２は遠赤外線を放射して、体の水分を激しく振動し、体温を有効に上げ、周りの血管を微かに拡張し、血液のめぐりを加速させ、免疫能力を上昇させる。ナノ液化チタン２の実際の作用効果が上昇するのは、套体１に入れてからで、最大、最高の作用の範囲ができ、効果の増進が目立ち、絶対に心理作用ではなく、現在のコンドームと比べると、効果は大幅に増進した。さらにナノ液化チタン２は波長６〜１２μｍの遠赤外線を放射し、使用者の血液のめぐりを増加し、套体１を被せることで、使用者の性能力を効果的に向上させ、或いは回復させることができ、薬物の治療を受ける必要がなく、使用者に福祉がもたらされる。
【００１２】
また、ナノ酸化亜鉛３とナノキチン質４は抗菌効果があり、套体１に入れることで、上記の効果を発揮し、コンドームで病気を予防する効果が最大となり、男性の利益になるだけではなく、男女双方に利益となり、コンドームの付加価値、用途、効果が増大し、コンドームを付けるべき作用効果を達成することができる。
【００１３】
抗菌潤滑液５は抗菌効果があり、套体１の外側の表面に塗布することで、コンドームの保護の効果が一層向上し、女性を有効的に保護し、コンドームの上記抗菌効果と結合して、二重の抗菌効果により、性感染症の感染率を零に低減させることができる。この場合、抗菌潤滑液５はナノ酸化亜鉛３とナノキチン質４を混ぜて形成され、細菌と作用して、抗菌効果を発揮し、しかも安全である。
【００１４】
重合体素材１１は天然ゴム、人口ゴムのいずれか一つが使用される。業者の需要により、変更し、あるべき効果を発揮する。
【００１５】
図４はこのコンドームの製造の流れを示している。
図４において、
（ステップ１）
遠赤外線を放射できるナノ液化チタン２、抗菌効果があるナノ酸化亜鉛３とナノキチン質４を混ぜて、複合素材１０Ａを作る。
（ステップ２）
複合素材１０を弾力性がある重合体素材１１の中に入れ、液体ラテックス１２Ｂを形成する。
（ステップ３）
この液体ラテックス１２の濃度の需要により、套体１を成形し、Ｏ形環６Ｃと結合する。
（ステップ４）
套体１の外側の表面に抗菌効果がある抗菌潤滑液５を塗布する。
【００１６】
このようにして、長時間の殺菌効果があるコンドームＥが完成する。この中で、遠赤外線を放射できるナノ液化チタン２を利用し、弾力性がある重合体素材１１の中に混ぜ、液体ラテックス（Slip latex）１２を形成して、長時間の殺菌効果があるコンドームを完成する。このナノ液化チタン２は使用者の皮膚の活性、細胞の活性化、血液のめぐりの効率を上昇させ、免疫システムの機能を上昇させ、血液の弱塩基性を保ち、一切の抗菌能力を上昇させる。
【００１７】
次に、抗菌効果があるナノ酸化亜鉛３とナノキチン質４を重合体素材１１に入れ、抗菌潤滑液５を加えることで、上記に述べたような高い抗菌効果があり、セックスする双方を有効に保護し、大幅に病気の感染率を低減する。ナノ酸化亜鉛３は新型多機能性素材であり、ナノ化のために、結晶粒子に小さくし、表面の電子の構造、結晶構造を変化させ、特性を変化させて、その中の酸化亜鉛が太陽の下で特に紫外線が照射されているときに、水と空気の中で、負に荷電した自由移動の電子〔e？〕を分解できるとともに、正に荷電した空穴〔h？〕を残し、この空穴〔h？〕が空気の酸素を極めて強い化学活性の活性酸素になり、多種類の有機物と酸化反応を起こして、大部分の病菌とウイルスが消滅し、酸化亜鉛はナノ化すると、光を吸収する能力が大幅に向上して、病菌とウイルスを消滅する効能が明らかに向上する。このナノ酸化亜鉛３は無毒、無味、皮膚に刺激がなく、変質しにくく、熱安定性がよく、抗菌、消毒、消臭、などの機能が強い。ナノキチン質４は多糖類、無毒、生体適合性がよく、微生物の代謝、繁殖を抑制し、黄色ブドウ球菌、カビ、緑膿菌など、抑制効果がよい。このナノキチン質４は陽電子を持ち、細菌の細胞膜が陰電子を持ち、細菌がナノキチン質４と接触すると、陽電子と陰電子が吸引し、ナノキチン質４は細菌に穿刺効果が起き、細菌の細胞を引き裂き、細菌を死亡させて、細菌の繁殖を抑制できる。
【００１８】
なお、上記で言う『抗菌』は、『抑菌』と『殺菌』の作用の総称である。よい抗菌剤は抗菌能力がよく、安全性がよく、人体に悪くなく、抗菌の時間が長いなどの利点を持つ。
【００１９】
上記套体１の中で抗菌効果があるナノ酸化亜鉛３、ナノキチン質４と、抗菌潤滑液５の中のナノ酸化亜鉛３、ナノキチン質４はナノ抗菌粒子７と総称する。ナノ抗菌粒子７の抗菌能力は、ナノ抗菌粒子７が病菌の細胞壁膜との強い結合官能があり、直接に細菌の中に入って、早速に酸化する代謝の官能と接合し、代謝を阻止し、酵素の活性を破壊し、細胞の代謝能力を消失する。このようにして細菌の成長を抑制でき、殺菌の目的を達する。ナノ酸化亜鉛３とナノキチン質４の両方を混合して、ナノ抗菌粒子７になり、第３公証者界から証明した（例えば、台米検査化学技術）、細菌とウイルスを消滅する数目が１０種類以上を超え、人体の皮膚のテスト結果では合格となり、完全に毒性がない。ナノ抗菌粒子７の表面は一定酸化還元反応の能力があり、細菌を消滅することができる。ナノ抗菌粒子７と病菌の細胞壁/膜は相当強い結合能力があり、直接に細菌の中に入り、早速酸化する代謝の官能と結合し、代謝を阻止し、その生物活性を破壊するが、人体に危害はない。様々な試験の証明で、ナノ抗菌粒子７は低濃度で（４０倍以上を希釈する）、細胞膜プロテアーゼの酵素と結合でき、酵素の活性を破壊し、細胞の代謝能力が消え、細菌の成長を抑制でき、殺菌の目的を達成する。多数の薬物は細菌と結合してから、すぐに流失するが、ナノ抗菌粒子は流失せず、病菌を消滅してから、まだ存在し、他の細菌と作用し続け、この「強い抗菌効果と長時間の作用」で細菌を消滅する目的を達成する。一般の製品の抗菌効果は抗菌性添加剤を入れることにより達する。添加剤の価格は低いが、安全性上、疑義がある。本考案品のナノ抗菌粒子７の素材は毒性があるとか皮膚のアレルギーが起きるとかがなく、この素材の安全性は極めて高いと言える。また、重合体素材１１の中に入れる液体ラテックス１２の抗菌材の中で、本考案品の耐温性の効果が一番よく、一般的なナノ粒子はナノ化してから、物理的性質が変化し、活性が増加し、耐熱効果が低下し、液体ラテックス１２の中に適用できないが、本考案品のみ、本来の特性を持つことができ、使用者に十分な安全性を与えることができる。
【００２０】
以上説明したように、本考案品の中で一番重要なのは、遠赤外線を放射できるナノ液化チタン（２）を套体（１）の中に混ぜ入れていることにある。ナノ液化チタン２は波長６〜１２μｍの遠赤外線を放射し、ナノ液化チタン２の特性が使用者の血液のめぐりを増加させ、使用者の免疫能力を上昇する。使用者は主動的に病気の感染率を低下させることができる。また、抗菌、殺菌効果があるナノ酸化亜鉛（３）とナノキチン質（４）を套体（１）に入れることで、病気を予防する効果は既述のとおり受動から主動になり、コンドームの作用効果はしっかり向上する。抗菌潤滑液５はナノ酸化亜鉛３とナノキチン質４と混合して製作することが本考案のまた大切な要点である。細菌と作用して抗菌効果を発揮し、しかも安全性上の疑義がない。重合体素材１が天然ゴム、人口ゴムのいずれかであり、業者の需要により、変更されるが、本考案では遠赤外線を放射する機能があるナノ液化チタン２、抗菌効果があるナノ酸化亜鉛３とナノキチン質４があるので、１００％の効果を発揮することができる。本考案品の殺菌効果は明らかに上昇し、長時間の２４時間作用し、従来のコンドームや特許文献１のコンドームでは達成できない、使用者に危害となる細菌を消滅させることができる。本考案品は従来のコンドームや特許文献１のコンドームと比べて、その実用的効果は大きい。
【００２１】
本発明は、図面に示す好ましい実施の形態に基づいて説明されてきたが、当業者であれば、本発明の思想を逸脱することなく容易に各種の変更、改変し得ることは明らかである。本発明はそのような変更例も含むものである。
【図面の簡単な説明】
【００２２】
【図１】本考案品のコンドームの構成を示す斜視図
【図２】同コンドームの構成を示す側面断面図
【図３】図２中の要部を示す断面図
【図４】同コンドームの製造方法を示す流れ図
【符号の説明】
【００２３】
１  套体
１０  複合素材
１１  重合体素材
１２  液体ラテックス
２  ナノ液化チタン
３  ナノ酸化亜鉛
４  ナノキチン質
５  抗菌潤滑液
６  Ｏ形環
７  ナノ抗菌粒子
【図１】
0003147295.tif 000003
【図２】
0003147295.tif 000004
【図３】
0003147295.tif 000005
【図４】
0003147295.tif 000006
【手続補正書】
【提出日】平成20年10月28日(2008.10.28)
【手続補正１】
【補正対象書類名】明細書
【補正対象項目名】０００４
【補正方法】変更
【補正の内容】
【０００４】
ところで、上記の殺菌剤は未だ見ることがなく、効果も不明である。そこで、そのような殺菌剤が提供されるまでの最も有効的な予防措置は、まだ従来のコンドームの利用である。性感染症の伝染を防止する効果をよくするためには、性行為の過程でコンドームを使うべきである。ある業者は性感染症の感染を防止する効果をさらによくするために、コンドームの改良を行った。これはコンドームと殺菌剤を結合したもので、この種の技術が特許文献１に開示されている。この文献１はナノ衛生コンドームの製作の方法に関するもので、ナノメートルの物理理論によって、ナノコンポジットを摩擦すると、表面に遊離基ができ、外物を吸引し、細菌などを分解する能力を有する。このような粒径１０００ｎｍ以下の適量の炭素、金属、金属の酸化物、鉱物などのナノ微粒子とゴム材料とを混ぜ、ゴムの加工成型法により、ナノ衛生コンドームを製作する。このコンドームの特徴は、男女がセックスするときの摩擦作用により、コンドームの表面にフリーラジカルができることにより、膣の壁を吸い、膣に収縮作用をさせる。このようにすることにより表面のフリーラジカルが膣の細菌、ウイルス、黴菌などを分解するので、殺菌や消毒の効果がある。
【手続補正２】
【補正対象書類名】明細書
【補正対象項目名】０００５
【補正方法】変更
【補正の内容】
【０００５】
【特許文献１】台湾特許特開第２００６３００７８号